(57)【要約】【課題】作動ストロークが移送距離の約１／２とした小型の作動部材を使用して所定距離で被移送物を移送することができ、装置自体が小型化及び低コスト化する。【解決手段】作動部材の作動／復動に伴って搬出側から搬入側に向かって移動する一方の移動部材により回転体を回転させて他方の移動部材を搬入側から搬出側へ移動して移送方向上手側に当接する固定押当て部材により被移送物を移送距離の約１／２の距離で移送した後、可動押当て部材を垂直位置へ移動して被移送物の移送方向上手側に当接可能にした状態で作動部材を復動／作動して搬出側へ移動する一方の移動部材により被移送物を、更に移送距離の約１／２の距離で移送する。【選択図】        図２
2010105750.tif 000002
【特許請求の範囲】
【請求項１】
搬入された被移送物を所定の距離、移送して搬出する送り装置において、
長手方向が被移送物の移送距離の約１／２からなり、適宜の間隔をおいて相対配置される一対の移動部材と、
一対の移動部材に対して噛合可能で回転可能に配置される回転体と、
一方の移動部材における移送方向上手側に連結され、被移送物の移動距離の約１／２からなる作動ストロークからなる作動部材と、
一方の移動部材における移送方向下手側に設けられ、移送面より下方の水平位置と移送面から突出する垂直位置の間で揺動可能な可動押当て部材と、
他方の移動部材における移送方向上手側に設けられ、移送面から突出する垂直位置に固定された固定押当て部材と、
を備え、
作動部材の作動／復動に伴って搬出側から搬入側に向かって移動する一方の移動部材により回転体を回転させて他方の移動部材を搬入側から搬出側へ移動して移送方向上手側に当接する固定押当て部材により被移送物を移送距離の約１／２の距離で移送した後、可動押当て部材を垂直位置へ移動して被移送物の移送方向上手側に当接可能にした状態で作動部材を復動／作動して搬出側へ移動する一方の移動部材により被移送物を、更に移送距離の約１／２の距離で移送することを特徴とする送り装置。
【請求項２】
請求項１において、一対の移動部材は、移送距離の約１／２の長さのラックギャとすると共に回転体は、双方のラックギャに噛合うピニオンギャとした送り装置。
【請求項３】
請求項１において、一対の移動部材は、移送距離の約１／２の長さのフレームの相対面に歯付きベルトを固定してなると共に回転体は、双方のベルトに噛合うピニオンギャとした送り装置。
【請求項４】
請求項１において、移送される被移送物は、少なくとも搬出部側にて移送直交方向端部が摺動可能に支持される送り装置。
【請求項５】
請求項１において、作動部材は、供給される流体圧により、一方の移動部材が連結される可動体を往復移動させるロッドレスシリンダとした送り装置。
【請求項６】
請求項１において、作動部材は、電動モータが連結された送りねじ及び該送りねじに噛合い、一方の移動部材が取付けられるナットからなる送りねじ機構とした送り装置。
【請求項７】
請求項１において、作動部材は、移送距離の約１／２の間隔をおき、一方に電動モータが連結された一対のプーリ及び一対のプーリ間に掛け渡されると共に一方の移動部材が固定される歯付きベルトからなるベルト機構とした送り装置。
【請求項８】
請求項１において、可動押当て部材は、ワークの移送方向上手側面に当接可能な当接部材と、該当接部材を、ワークの移送面から突出した垂直位置及び移送面から下方の水平位置の間で回動させる回動部材とした送り装置。
【請求項９】
請求項１において、可動押当て部材及び固定押当て部材の内、少なくとも可動押当て部材は、一方の移動部材に固定された取付け部材に揺動可能に支持され、一端部が移送面から上方へ突出すると共に他端部が取付け部材に当接して揺動が規制される揺動部材を備え、該揺動部材は、パレットの移送に伴って一方の移動部材が移送方向上手側へ移動する際に、移送されるパレットに対する摺接により揺動してパレットの通過を許容する一方、パレットの移送方向上手側に位置した際に、揺動が規制された状態でパレットの移送方向側に当接してパレットを搬出側へ押出し可能にした送り装置。
【請求項１０】
請求項９において、揺動部材の他端部には、錘を取付け、該錘の重量により他端部を取付け部材に当接させて揺動を規制する送り装置。
【発明の詳細な説明】
【技術分野】
【０００１】
本発明は、例えば製品が収容されるパレット等の被移送物を所定のストロークで移送する送り装置に関する。
【背景技術】
【０００２】
従来、例えばロッドレスシリンダの可動体に押当板を取付け、該押当板を、送り直交方向の両端部が支持された被移送物の送り方向上手側に押当板を当接させて被移送物をロッドレスシリンダのストロークに応じた距離で移送する送り装置、送りストロークに応じた長さのフレームの長手方向両端部にそれぞれ回転可能に支持され、少なくとも一方に電動モータが連結された一対のプーリにベルトを掛け渡すと共に上記フレームに長手方向へ移動可能に支持され、押当板が設けられた可動体をベルトに固定し、送り直交方向の両端部が支持された被移送物の送り方向上手側に押当板を当接させて被移送物をベルトの走行ストロークに応じた距離で移送する送り装置等が知られている。
【０００３】
しかし、上記した送り装置の内、ロッドレスシリンダ構造の送り装置にあっては、被移送物を長い距離で移送するには、送りストロークが長い大型のロッドレスシリンダを使用して駆動機構を構成する必要があり、装置自体が大型化する問題を有している。また、ベルト構造の送り装置にあっても、被移送物を長い距離で移送するには、長尺状のベルトを使用して駆動機構を構成する必要があり、装置自体が大型化する問題を有している。
【特許文献１】特開平−号公報
【発明の開示】
【発明が解決しようとする課題】
【０００４】
解決しようとする問題点は、ロッドレスシリンダ構造の送り装置にあっては、被移送物を長い距離で移送するには、送りストロークが長い大型のロッドレスシリンダを使用して駆動機構を構成する必要があり、装置自体が大型化及び高コスト化する点にある。また、ベルト構造の送り装置にあっては、被移送物を長い距離で移送するには、長尺状のベルトを使用して駆動機構を構成する必要があり、装置自体が大型化及び高コスト化する点にある。
【課題を解決するための手段】
【０００５】
本発明は、長手方向が被移送物の移送距離の約１／２からなり、適宜の間隔をおいて相対配置される一対の移動部材と、一対の移動部材に対して噛合可能で回転可能に配置される回転体と、一方の移動部材における移送方向上手側に連結され、被移送物の移動距離の約１／２からなる作動ストロークからなる作動部材と、一方の移動部材における移送方向下手側に設けられ、移送面より下方の水平位置と移送面から突出する垂直位置の間で揺動可能な可動押当て部材と、他方の移動部材における移送方向上手側に設けられ、移送面から突出する垂直位置に固定された固定押当て部材とを備え、作動部材の作動／復動に伴って搬出側から搬入側に向かって移動する一方の移動部材により回転体を回転させて他方の移動部材を搬入側から搬出側へ移動して移送方向上手側に当接する固定押当て部材により被移送物を移送距離の約１／２の距離で移送した後、可動押当て部材を垂直位置へ移動して被移送物の移送方向上手側に当接可能にした状態で作動部材を復動／作動して搬出側へ移動する一方の移動部材により被移送物を、更に移送距離の約１／２の距離で移送することを特徴とする。
【発明の効果】
【０００６】
本発明は、作動ストロークが移送距離の約１／２とした小型の作動部材を使用して所定距離で被移送物を移送することができ、装置自体が小型化及び低コスト化することができる。
【発明を実施するための最良の形態】
【０００７】
本発明は、作動部材の作動／復動に伴って搬出側から搬入側に向かって移動する一方の移動部材により回転体を回転させて他方の移動部材を搬入側から搬出側へ移動して移送方向上手側に当接する固定押当て部材により被移送物を移送距離の約１／２の距離で移送した後、可動押当て部材を垂直位置へ移動して被移送物の移送方向上手側に当接可能にした状態で作動部材を復動／作動して搬出側へ移動する一方の移動部材により被移送物を、更に移送距離の約１／２の距離で移送することを最良の形態とする。
【実施例】
【０００８】
以下に実施形態を示す図に従って本発明を説明する。
図１及び図２に示すように、送り装置１の本体フレーム３は、移送される被移送物としてのパレット5の移送直交方向幅より若干広い幅及びパレット5の移送方向長さに対応する長さで、搬入部と搬出部からなる。該本体フレーム３の長手直交方向両側には、パレット5の移送方向両側に設けられた鍔部５ａを摺接可能に支持すると共に移送時の位置ずれを防止する移送直交方向断面がＬ字形の支持部材７が、互いに相対して長手方向へ延出するようにそれぞれ取付けられる。該支持部材７は、摺接抵抗が小さい金属材、ポリアミド樹脂等が適している。上記パレット５内には、各種の成形品や部品等が収容される。
【０００９】
本体フレーム３の長手直交方向中央部には、長手直交方向に所定の間隔をおいた一対の支持レール９・１１が長手方向へ延びるように固定され、各支持レール９・１１には、長手方向がパレット５の移送ストロークの約１／２の長さからなるラックギャ、チェーン、歯付きベルトの移動部材１３・１５が長手方向へ移動可能に支持される。なお、各移動部材１３・１５をチェーンや歯付きベルトで構成する場合、長手方向がパレット５の移送ストロークの約１／２の長さからなる取付けフレーム（図示せず）の相対面に歯付きベルトを長手方向にわたって固定した構成にすればよい。また、各移動部材１３・１５の上面には、パレット５の底面に対して摩擦係数が小さい、例えばポリアミド樹脂等の載置板１７・１９が長手方向にわたって取付けられる。
【００１０】
また、一方の移動部材１３における移送方向下手側端部には、可動押当て部材２１が、また他方の移動部材１５における移送方向上手側端部には、固定押当て部材２３がそれぞれ設けられる。即ち、可動押当て部材２１は、該移動部材１３の移送方向下手側端部に設けられ、移送されるパレット５の移送方向上手側面に当接可能な当接板２１ａと、該当接板２１ａをその先端が移送面より上方へ突出する垂直位置及び移送面より下方の水平位置の間で往復回動させるロータリーアクチェータ等の回動部材２１ｂにより構成される。また、他方の移動部材１５の固定押当て部材２３は、該移動部材１５の移送方向上手側端部に設けられ、移送されるパレット５の移送方向上手側面に当接する当接板２３ａにより構成される。
【００１１】
尚、他方の移動部材１５の固定押当て部材２３は、他方の可動押当て部材２１と異なり、当接板２３ａを、垂直位置と水平位置の間で回動させる必要がないが、可動押当て部材２１と同様に回動部材（図示せず）により当接板２３ａを垂直位置と水平位置の間で回動させる構成とし、常に垂直位置に回動させておけばよい。
【００１２】
一方の移動部材１３における移送方向上手側端部には、パレット５の移送距離の約１／２で可動体２５を移動する、例えば図に示すロッドレスシリンダ、軸端に電動モータが連結された送りねじ機構（図示せず）、上記間隔をおき、一方に電動モータが連結された一対のプーリに歯付きベルトが掛け渡されたベルト機構（図示せず）等の作動部材２７が連結される。そして上記可動体２５には、一方の移動部材１３における移送方向上手側端部が固定され、作動部材２７の作動に伴って一方の移動部材１３を、移送方向に対してパレット５の移送距離の約１／２のストロークで往復移動させる。なお、作動部材２７を送りねじ機構で構成する場合には、送りねじに可動体２５を噛合わせ、該送りねじの回転に伴って可動体を軸線方向へ往復移動する構成とすればよい。
【００１３】
本体フレーム３の長手方向中間部には、ピニオンギャ等の回転体２９が回転可能で、かつそれぞれの移動部材１３・１５に同時に噛合うように設けられる。該回転体２９は、該作動部材２７の作動に伴って一方の移動部材１３がパレット５の移送距離の約１／２のストロークで往復移動される際に、他方の移動部材１５を一方の移動部材１１の移動方向と反対の方向へパレット５の移送距離の約１／２のストロークで往復移動させる。
【００１４】
尚、本体フレーム３の搬入側には、搬入側にパレット５を順次、搬入する搬入コンベヤー又は多数のパレット５が多段集積された搬入リフト装置等の搬入手段（図示せず）が、また搬出側には、移送されたパレット５を順次、搬出する搬出コンベヤー又は移送されたパレット５を多段集積する搬出リフト装置等の搬出手段（図示せず）が配置される。これら搬入／搬出手段を構成する搬入／搬出コンベヤー及び搬入／搬出リフト装置は、公知の装置であり、その詳細については、説明を省略する。
【００１５】
次に、上記のように構成された送り装置１の作用を説明する。
まず、初期状態においては、図３に示すように作動部材２３を作動して可動体２５を実線矢印方向へ移動して一方の移動部材１３を本体フレーム３の搬出部側に移動させる。この一方の移動部材１３の移動に伴って回転する回転体２９により他方の移動部材１５を搬入部側へ移動させる。この状態において一方の移動部材１３に設けられた可動押当て部材２１は、回動部材２１ｂを駆動して当接板２１ａを水平位置へ回動してパレット５の移送面より下方に位置させる。なお、他方の移動部材１５に設けられた固定押当て部材２３の当接板２３ａは、パレット５の移送面より上方に突出した垂直位置に保たれている。この状態にて、移送しようとするパレット５を、その鍔部５ａが支持部材７上に支持されると共に移送方向上手側面に当接板２３ａが当接するように載置させる。
【００１６】
図４に示すように、この状態で作動部材２７を復動して可動体２５を実線矢印方向へ移動させると、一方の移動部材１３を搬入部側へ移動させると共に他方の移動部材１５を搬出部側へ移動させ、移送方向上手側面に当接する当接板２３ａにより載置されたパレット５を搬出部側へ押し出して移送させる。
【００１７】
図５に示すように、上記作動部材２７の復動を更に継続して一方の移動部材１３を搬入部に、また他方の移動部材１５を搬出部にそれぞれ移動し、載置されたパレット５を本体フレーム３の長手方向のほぼ中間部に移送させる。このとき、一方の移動部材１３に設けられた可動押当て部材２１は、パレット５の移送方向上手端より若干上手側に位置されている。この状態にて回動部材２１ｂを駆動して当接板２１ａを水平位置から垂直位置へ回動してパレット５の移送方向上手側面に当接可能にさせる。
【００１８】
次に、上記状態にて上記とは反対に作動部材２７を作動して可動体２５を実線矢印方向へ移動し、一方の移動部材１３を本体フレーム３の搬出部側に移動させると共に一方の移動部材１３の移動に伴って回転する回転体２９により他方の移動部材１５を搬入部側へ移動させる。このとき、図６に示すように、一方の移動部材１３に設けられた当接板２１ａが移送面から突出した垂直位置に移動されているため、搬出側に対する一方の移動部材１３の移動に伴って移送方向上手側に当接してパレット５を搬出側へ押し出して搬出手段上に移載させる。なお、搬入部側へ移動した他方の移動部材１５は、次に移送されるパレット５が載置されるまで、待機させられる。
【００１９】
本実施例は、パレット５の移送距離の約１／２の作動ストロークからなる作動部材２７によりパレット５を所定の搬出手段上へ移動することができる。該作動部材２７は、パレット５の移送距離に対して作動ストロークが短いため、装置自体を小型化及び低コスト化することができる。
【００２０】
上記説明においては、本体フレーム３の長手直交方向の両側に支持部材７を設けて搬入されるパレット５の鍔部５ａを支持する構成としたが、搬入手段の搬入コンベヤーによりパレット５の移送直交方向端部の底面を支持して自動的に搬入する場合には、搬入コンベヤーを、搬入部における本体フレーム３の長手直交方向両端側に配置すればよい。この場合にあっては、搬出部における本体フレーム３の長手直交方向両端側に支持部材７を設け、該支持部材７により搬入コンベヤー上から押し出されるパレット５の鍔部５ａを支持可能に設ければよい。
【００２１】
上記説明は、可動押当て部材２１を、移送されるパレット５の移送方向上手側面に当接可能な当接板２１ａ及び該当接板２１ａを、その先端が移送面より上方へ突出する垂直位置と移送面より下方の水平位置の間で往復移動させるロータリーアクチェータ等の回動部材２１ｂにより構成したが、図7に示すように、一方の移動部材１３の移送方向下手側に取付けられたＬ字形の取付け部材７１に、一端部がパレット５の移送方向上手側の端面に当接可能な長さで、移送方向下手側に当接面７３ａを有し、かつ他端部が、取付けフレーム７１の平面部７１ａに当接して揺動規制される長さの揺動部材７３を、軸７５を中心に移送方向下手側方向へのみ、揺動可能に軸支すると共に揺動部材７３の他端部に錘７７を取り付けて可動押当て部材７９を構成する。
【００２２】
他方の移動部材１５が搬出側へ移動してパレット５を移送する際に、一方の移動部材１３が移送方向上手側の搬入側へ移動される。このとき、図８に示すように、揺動部材７３は、移送されるパレット５に対する当接に伴って錘７７の重量に抗して図示する時計方向へ揺動してパレット５の通過を許容させる。
【００２３】
一方、一方の移動部材１３が移送方向上手側の搬入側へ移動してパレット５に対する揺動部材７３の当接が解除されると、図９に示すように、該揺動部材７３は、錘７７の重量により図示する反時計方向へ揺動復帰して一方の端部をパレット５の移送方向上手側の側面へ当接可能に起立させる。この状態においては、揺動部材７３は、その他端部が取付け部材７１の平面部に当接して図９に示す状態から更に図示する反時計方向への揺動が規制されることにより起立状態に保たれる。
【００２４】
そして上記状態にて一方の移動部材１３が移送方向下手側の搬出側に向かって移動されると、図１０に示すように、揺動部材７３は、起立した一端部をパレット５の移送方向上手側に当接し、該パレット５を搬出手段側へ押し出して移送させる。
【００２５】
この可動押当て部材７９は、実施例の可動押当て部材２１に比べて当接板２１ａを揺動させる回動部材２１ｂを不要にすることができる。なお、他方の移動部材１５に取付けられる固定押当て部材２３に付いても、上記した可動押当て部材７９を取付けた構成としてもよい。この場合にあっては、揺動部材７３は、常にパレット５の搬送方向上手側に位置し、その起立状態が保たれる。また、揺動部材７３の他端部に錘７７を取付け、該錘７７の重量により他端部が、常には取付け部材７１の平面部に当接して揺動を規制する構成としたが、一端部に対して他端部の重量を重くすることにより上記した錘７７を省略することができる。
【００２６】
上記説明は、被移送物としてパレット５により説明したが、本発明において移送される被移送物は、これに限定されるものではなく、各種被移送物を移送する送り装置として実施可能である。
【図面の簡単な説明】
【００２７】
【図１】送り装置の概略を示す斜視図である。
【図２】送り装置の平面図である。
【図３】送り装置にパレットを移載した状態を示す平面説明図である。
【図４】パレットの移送途中の状態を示す平面説明図である。
【図５】作動部材の作動切換え時の状態を示す平面説明図である。
【図６】パレットの移送終了時の状態を示す平面説明図である。
【図７】可動押当て部材の変更例を示す斜視図である。
【図８】揺動部材の揺動状態を示す説明図である。
【図９】揺動部材の起立状態を示す説明図である。
【図１０】起立した揺動部材によりパレットの押出し状態を示す説明図である。
【符号の説明】
【００２８】
１  送り装置
３  本体フレーム
５  パレット
５ａ  鍔部
７  支持部材
９・１１  支持レール
１３・１５  移動部材
１７・１９  載置板
２１  可動押当て部材
２３  固定押当て部材
２１ａ  当接板
２１ｂ  回動部材
２３ａ  当接板
２５  可動体
２７  作動部材
２９  回転体
【図１】
2010105750.tif 000003
【図２】
2010105750.tif 000004
【図３】
2010105750.tif 000005
【図４】
2010105750.tif 000006
【図５】
2010105750.tif 000007
【図６】
2010105750.tif 000008
【図７】
2010105750.tif 000009
【図８】
2010105750.tif 000010
【図９】
2010105750.tif 000011
【図１０】
2010105750.tif 000012